(57)【要約】【課題】パネルの蝶番部での指詰めを防止し、かつ美観の低下及び光洩れを確実に防止し得る折戸を提供する。【解決手段】複数枚のパネルを蝶番部４で折り畳み可能とした折戸において、蝶番部４が取着される框７ａ，７ｂに弾性材で形成した遮光部材５ａ，５ｂ，６ａ，６ｂをそれぞれ取着し、パネルを直線状に引き延ばしたとき、蝶番部４を透過する光を遮断するように、対向する遮光部材５ａ，５ｂ，６ａ，６ｂの先端部を突出させるとともに、該先端部間には所定の間隙を設けた。【選択図】        図３
2004169315.tif 000002
【特許請求の範囲】
【請求項１】
複数枚のパネルを蝶番部で折り畳み可能とした折戸において、
前記蝶番部が取着される框に弾性材で形成した遮光部材をそれぞれ取着し、前記パネルを直線状に引き延ばしたとき、前記蝶番部を透過する光を遮断するように、対向する前記遮光部材の先端部を突出させるとともに、該先端部間には所定の間隙を設けたことを特徴とする折戸。
【請求項２】
前記遮光部材は、その先端部が前記蝶番部の中心線に交差する位置まで互いに突出するように構成したことを特徴とする請求項１記載の折戸。
【請求項３】
前記遮光部材は、パネルの折り畳み時に、前記蝶番部の両側のパネル面の挟角が鈍角となる側において前記框に取着したことを特徴とする請求項１または２記載の折戸。
【請求項４】
前記遮光部材は、楔状に突出する形状としたことを特徴とする請求項１乃至３のいずれかに記載の折戸。
【請求項５】
前記対向する遮光部材は、共通の部材を点対称状に取着したことを特徴とする請求項１乃至４のいずれかに記載の折戸。
【発明の詳細な説明】
【０００１】
【発明の属する技術分野】
この発明は、パネルを回動可能に連結し、そのパネルを回動させて開閉する折戸に関するものである。
【０００２】
【従来の技術】
従来、複数枚のパネルを蝶番で回動可能に連結するとともに、各パネルをハンガーレールに沿って移動可能に吊下支持した折戸が屋内外、あるいはクローゼット等で使用されている。
【０００３】
このような折戸では、各パネルを直線状に引き延ばして閉じた状態での蝶番部からの光洩れを防止し、かつ各パネルを直線状に回動させる過程における蝶番部での指詰めを防止するために、回動部分に例えばゴム材で形成される緩衝片が取着されている。
【０００４】
そして、折戸を引き延ばして全閉状態とすれば、対向する緩衝片が互いに圧接されて、パネル間の隙間が密閉される。また、緩衝片により指詰めが未然に防止される。
【０００５】
上記のような折戸は、例えば特許文献１に開示されている。
【０００６】
【特許文献１】
特開２００１−１７３３１９
【０００７】
【発明が解決しようとする課題】
上記のような折戸では、パネルを直線状に引き延ばすと、各緩衝片が互いに圧接されて変形するため、蝶番部の美観が損なわれるという問題点がある。
【０００８】
また、各緩衝片の成形精度が悪い場合、あるいはゴム材が経年劣化により変形した場合、パネルを直線状に引き延ばした状態でも、緩衝片が互いに圧接されず、蝶番部に隙間が生じる。この結果、蝶番部で光洩れが発生するという問題点がある。
【０００９】
この発明の目的は、パネルの蝶番部での指詰めを防止し、かつ美観の低下及び光洩れを確実に防止し得る折戸を提供することにある。
【００１０】
【課題を解決するための手段】
請求項１では、複数枚のパネルを蝶番部で折り畳み可能とした折戸において、前記蝶番部が取着される框に弾性材で形成した遮光部材をそれぞれ取着し、前記パネルを直線状に引き延ばしたとき、前記蝶番部を透過する光を遮断するように、対向する前記遮光部材の先端部を突出させるとともに、該先端部間には所定の間隙を設けた。
【００１１】
請求項２では、前記遮光部材は、その先端部が前記蝶番部の中心線に交差する位置まで互いに突出するように構成した。
請求項３では、前記遮光部材は、パネルの折り畳み時に、前記蝶番部の両側のパネル面の挟角が鈍角となる側において前記框に取着した。
【００１２】
請求項４では、前記遮光部材は、楔状に突出する形状とした。
請求項５では、前記対向する遮光部材は、共通の部材を点対称状に取着した。
【００１３】
【発明の実施の形態】
（第一の実施の形態）
図１及び図２は、この発明を具体化した折引戸の第一の実施の形態を示す。折引戸は、複数枚のパネルがそれぞれハンガーレールに沿って引き違い操作可能に支持されるとともに、各パネルを折り畳んで収納可能としたものであり、図１及び図２はその折引戸を構成するパネルの１枚を示すものである。
【００１４】
パネル１ａは、その上縁部の幅方向中央部がランナー２ａを介してハンガーレール３に沿って移動可能にかつ回動可能に吊下支持されている。また、パネル１ａの下縁の幅方向中央部にはガイド部材（図示しない）が取着され、そのガイド部材が床面に設けられる案内レールに沿って移動可能にかつ回動可能に支持されている。
【００１５】
パネル１ｂは、その上縁部の幅方向中央部がランナー２ｂを介してハンガーレール３に沿って移動可能にかつ回動可能に吊下支持されている。また、パネル１ｂの下縁の幅方向中央部にはガイド部材（図示しない）が取着され、そのガイド部材が床面に設けられる案内レールに沿って移動可能にかつ回動可能に支持されている。
【００１６】
前記パネル１ａ，１ｂは、蝶番部４を介して回動可能に連結されている。そして、パネル１ａ，１ｂは蝶番部４を回動支点として折り畳み可能となっている。前記蝶番部４は、２つの支軸を回動支点として、図１から図２に示すように回動する。
【００１７】
前記蝶番部４にはパネル１ａ，１ｂの前面側及び背面側に、光洩れを防止するための遮光部材５ａ，５ｂ，６ａ，６ｂがパネル１ａ，１ｂの上下方向全長に亘って取着されている。前記遮光部材５ａ，５ｂ，６ａ，６ｂは、中空状の合成ゴム材で同一形状で形成される。
【００１８】
図３に示すように、パネル１ａ，１ｂの前面側に取着される遮光部材５ａ，５ｂは、その基端部がパネル１ａ，１ｂの框７ａ，７ｂに形成された嵌合溝８ａ，８ｂに嵌着されて、点対称状に配置される。
【００１９】
前記遮光部材５ａ，５ｂの先端部は、所定の間隙を隔てて互い違いとなるように楔状に突出し、その先端は蝶番部４の中心線Ｃに交差する位置まで突出されている。
【００２０】
パネル１ａ，１ｂの背面側に取着される遮光部材６ａ，６ｂは、その基端部がパネル１ａ，１ｂの框７ａ，７ｂに形成された嵌合溝８ｃ，８ｄに嵌着されている。
【００２１】
前記遮光部材６ａ，６ｂの先端部は、所定の間隙を隔てて互い違いとなるように楔状に突出し、その先端は蝶番部４の中心線Ｃに交差する位置まで突出されている。
【００２２】
前記パネル１ａの一端には、取っ手９が取着されている。そして、取っ手９を操作して、パネル１ａ，１ｂの移動操作及び回動操作が可能となっている。
さて、上記のように構成された折引戸では、取っ手９を操作してパネル１ａ，１ｂ及び他のパネルをハンガーレール３に沿って引出しながら、引き違い操作すると、壁面間に各パネルが引き出されて、全閉状態となる。
【００２３】
また、各パネル１ａ，１ｂをハンガーレール３に沿って一方へ移動させ、かつ蝶番部４で回動させると、ハンガーレール３の一側に畳み込まれる。
上記のように構成された折引戸の蝶番部４では、次に示す作用効果を得ることができる。
（１）各パネル１ａ，１ｂをハンガーレール３に沿って直線状に引き延ばしたとき、遮光部材５ａ，５ｂ，６ａ，６ｂはその先端が蝶番部４の中心線Ｃに交差する位置まで突出されている。従って、蝶番部４を透過する光を確実に遮断することができるので、光洩れを確実に防止することができる。すなわち、パネル１ａ，１ｂを隔てた反対側からの視界を確実に遮ることができる。
（２）各パネル１ａ，１ｂをハンガーレール３に沿って直線状に引き延ばしたとき、遮光部材５ａ，５ｂ及び同６ａ，６ｂが互いに圧接されることはなく、所定間隔を隔てた状態に維持される。従って、遮光部材５ａ，５ｂ及び同６ａ，６ｂの変形を防止することができるので、蝶番部４の美観を向上させることができる。
（３）遮光部材５ａ，５ｂ及び同６ａ，６ｂは無接触であるので、経年劣化による変形を防止することができる。従って、遮光部材５ａ，５ｂ，６ａ，６ｂの初期性能を確実に維持することができる。
（４）図２に示す状態から、図１に示すようにパネル１ａ，１ｂを直線状に引き延ばすとき、誤って遮光部材５ａ，５ｂ間に指を挟んでも、遮光部材５ａ，５ｂはゴム材で構成されるとともに、所定の間隙が確保されているので、指詰めを未然に防止することができる。
（５）遮光部材５ａ，５ｂ及び同６ａ，６ｂは共通部品で構成されるので、部品点数を削減することができる。
（第二の実施の形態）
図４〜図６は、折引戸の第二の実施の形態を示す。この実施の形態は、前記蝶番部を除いて第一の実施の形態と同一構成であり、同一構成部分は同一符号を付してその説明を省略する。
【００２４】
図６に示すように、パネル１ａ，１ｂを回動可能に連結する蝶番部１０は、パネル１ａ，１ｂの背面側において、パネル１ａ，１ｂの框１１ａ，１１ｂの側辺１２ａ，１２ｂが蝶番部１０の中心線Ｃ近傍まで延設され、僅かな隙間を隔てて対向している。
【００２５】
そして、パネル１ａ，１ｂを回動させるとき、図４及び図５に示すように、蝶番部１０は側辺１２ａ，１２ｂの間隙が変化しない状態で回動するように構成されている。
【００２６】
図６に示すように、パネル１ａ，１ｂの前面側、すなわち図５に示すようにパネル１ａ，１ｂを回動させるとき、パネル面の挟角が鈍角となる側において、前記框１１ａ，１１ｂには前記第一の実施の形態と同様な遮光部材１３ａ，１３ｂが取着されている。
【００２７】
このように構成された折引戸では、各パネル１ａ，１ｂをハンガーレール３に沿って直線状に引き延ばしたとき、側辺１２ａ，１２ｂ間の隙間が遮光部材１３ａ，１３ｂの先端を結ぶ直線Ｌ上に位置しない。
【００２８】
従って、蝶番部１０を透過する光を確実に遮断することができるので、光洩れを確実に防止することができる。すなわち、パネル１ａ，１ｂを隔てた反対側からの視界を確実に遮ることができる。
【００２９】
また、遮光部材１３ａ，１３ｂにより前記第一の実施の形態と同様な作用効果を得ることができる。
（第三の実施の形態）
図７は、第三の実施の形態を示す。この実施の形態は、前記第二の実施の形態の遮光部材の構成を変更したものであり、その他の構成は第二の実施の形態と同様である。
【００３０】
この実施の形態の遮光部材１４ａ，１４ｂは、直方体状の中空部から遮光片１５ａ，１５ｂが所定間隔を隔てて対向するように突出され、その遮光片１５ａ，１５ｂの先端は、蝶番部１６の中心線Ｃに交差する位置まで突出される。
【００３１】
このように構成された折引戸では、各パネル１ａ，１ｂをハンガーレール３に沿って直線状に引き延ばしたとき、側辺１２ａ，１２ｂ間の隙間が遮光片１５ａ，１５ｂの先端を結ぶ直線Ｌ上に位置しない。
【００３２】
従って、蝶番部１６を透過する光を確実に遮断することができるので、光洩れを確実に防止することができる。すなわち、パネル１ａ，１ｂを隔てた反対側からの視界を確実に遮ることができる。
【００３３】
また、遮光部材１４ａ，１４ｂにより、前記第一の実施の形態で得られた作用効果（２）〜（５）と同様な作用効果を得ることができる。
上記実施の形態は、次に示すように変更することもできる。
・遮光部材は、上記実施の形態以外の形状としてもよい。
・遮光部材は、合成ゴム以外の弾性材を使用してもよい。
【００３４】
【発明の効果】
以上詳述したように、この発明はパネルの蝶番部での指詰めを防止し、かつ美観の低下及び光洩れを確実に防止し得る折戸を提供することができる。
【図面の簡単な説明】
【図１】第一の実施の形態の折戸を示す平面図である。
【図２】第一の実施の形態の折戸を示す平面図である。
【図３】第一の実施の形態の蝶番部を示す断面図である。
【図４】第二の実施の形態の折戸を示す平面図である。
【図５】第二の実施の形態の折戸を示す平面図である。
【図６】第二の実施の形態の蝶番部を示す断面図である。
【図７】第三の実施の形態の蝶番部を示す断面図である。
【符号の説明】
１ａ，１ｂ        パネル
４，１０，１６      蝶番部
７ａ，７ｂ，１１ａ，１１ｂ      框
５ａ，５ｂ，６ａ，６ｂ，１３ａ，１３ｂ，１４ａ，１４ｂ    遮光部材
【図１】
2004169315.tif 000003
【図２】
2004169315.tif 000004
【図３】
2004169315.tif 000005
【図４】
2004169315.tif 000006
【図５】
2004169315.tif 000007
【図６】
2004169315.tif 000008
【図７】
2004169315.tif 000009